(57)【要約】【課題】  適切な方向か否かの確認が不要で、しかも挿入時にコネクタとの接続が開放されにくいプラグコネクタを提供すること。【解決手段】  付勢手段を備えた基板軸が装着された一対のプラグ基板を備え、レセプタクルコネクタへの挿入時に誤挿入側のプラグ基板は前記レセプタクルコネクタの誤挿入阻止部に挿入を阻止され、正常挿入側のプラグ基板は前記レセプタクルコネクタに挿入されることにより前記レセプタクルコネクタと接続するプラグコネクタであって、前記プラグ基板の前記レセプタクルコネクタ側と反対側にトリガーストッパーを配置し、前記トリガーストッパーには互いに角度を持ってストッパー部とトリガー部を配置し、前記レセプタクルコネクタへの挿入時に、前記誤挿入側のプラグ基板に押されることで、前記トリガー部が前記誤挿入側のプラグ基板に係合し、前記ストッパー部が前記正常挿入側のプラグ基板に係合する。【選択図】      図２
2015220009.tif 000002
【特許請求の範囲】
【請求項１】
付勢手段を備えた基板軸が装着された一対のプラグ基板を備え、レセプタクルコネクタへの挿入時に誤挿入側のプラグ基板は前記レセプタクルコネクタの誤挿入阻止部に挿入を阻止され、正常挿入側のプラグ基板は前記レセプタクルコネクタに挿入されることにより前記レセプタクルコネクタと接続するプラグコネクタであって、
前記プラグ基板の前記レセプタクルコネクタ側と反対側にトリガーストッパーを配置し、前記トリガーストッパーには互いに角度を持ってストッパー部とトリガー部を配置し、
前記レセプタクルコネクタへの挿入時に、前記誤挿入側のプラグ基板に押されることで、前記トリガー部が前記誤挿入側のプラグ基板に係合し、前記ストッパー部が前記正常挿入側のプラグ基板に係合することを特徴とするプラグコネクタ。
【請求項２】
前記レセプタクルコネクタへの挿入時に、前記誤挿入側のプラグ基板に押されることで前記トリガーストッパーが正常挿入側のプラグ基板側に移動しかつ回転することで、前記トリガー部が前記誤挿入側のプラグ基板に係合して前記付勢手段の反発を抑制し、しかも前記ストッパー部が前記正常挿入側のプラグ基板に係合して前記正常側のプラグ基板の後退を抑制する請求項１に記載のプラグコネクタ。
【請求項３】
前記トリガーストッパーは第１のストッパー部と第１のトリガー部の対と、前記対と角度を持った第２のストッパー部と第２のトリガー部の対を備える請求項１または２に記載のプラグコネクタ。
【請求項４】
前記トリガーストッパーはプラグコネクタの挿抜方向には固定されている請求項１から３のいずれか１項に記載のプラグコネクタ。
【請求項５】
前記プラグコネクタは前記レセプタクルコネクタへの挿入時に、プラグ基板に備えた付勢手段戻り止め部にトリガーストッパーのトリガー部が掛かることにより前記付勢手段の戻る力を止めて前記レセプタクルコネクタへの挿入を行う請求項１から４のいずれか１項に記載のプラグコネクタ。
【請求項６】
前記プラグ基板はストッパー逃げ溝を有し、前記レセプタクルコネクタへの挿入時に前記誤挿入側のプラグ基板が押されている時、前記誤挿入側のプラグ基板に係合しない側のストッパー部は、前記ストッパー逃げ溝内に位置している請求項１から５のいずれか１項に記載のプラグコネクタ。
【請求項７】
前記トリガーストッパーはトリガー解除レバーを備え、前記トリガー解除レバーが操作されると前記誤挿入側のプラグ基板に係合した前記トリガー部を外し、前記付勢手段によりプラグコネクタの内側に収まったプラグ基板を挿入前の位置に戻す請求項１から６のいずれか１項に記載のプラグコネクタ。
【請求項８】
前記プラグ基板は中央部にトリガーストッパー溝を備え、プラグコネクタの挿入時に前記トリガーストッパーの中央部がトリガーストッパー溝に収まる請求項１から７のいずれか１項に記載のプラグコネクタ。
【請求項９】
前記一対のプラグ基板は前記トリガーストッパー側の先端に曲部を有する請求項１から８のいずれか１項に記載のプラグコネクタ。
【請求項１０】
前記プラグコネクタはＵＳＢプラグコネクタである請求項１から９のいずれか１項に記載のプラグコネクタ。
【発明の詳細な説明】
【技術分野】
【０００１】
本発明は、プラグコネクタに関し、特にプラグコネクタを受け側のレセプタクルコネクタに挿入する際の誤挿入を防止するプラグコネクタに関する。
【背景技術】
【０００２】
コンピュータなどにおける電気接続用のコネクタは、多量の情報伝送の目的、高画質、高精細な情報伝達の目的など、種々の目的に応じて規格化されている。コンピュータ用として、最も普及しているコネクタの一つとして、例えば、ユニバーサル・シリアル・バス（ＵＳＢ  ；Ｕｎｉｖｅｒｓａｌ  Ｓｅｒｉａｌ  Ｂｕｓ）規格に基づくＵＳＢコネクタなどが挙げられる。
【０００３】
ＵＳＢコネクタは、種々のソフトウェアに応用しうる利便性のほか、プラグアンドプレイに対応している。そのためハードウェアなど現在の市場のニーズにマッチし、ハードディスク間のデータ伝送、多くのコンピュータ関連機器との情報伝送などに対応したさまざまな態様の設計がなされている。
【０００４】
例えば、外付けタイプや内蔵タイプの記憶装置や再生装置に組み込まれた態様、コンピュータ本体に組み込まれた態様、接続ボードに組み込まれたＵＳＢインタフェースとしての態様などが挙げられる。
【０００５】
しかしＵＳＢコネクタは使用者が接続面が上又は下を向いているかなどの正逆の方向を確認してから挿入する必要があり、不便である。
【０００６】
特に、一般的なデスクトップ型コンピュータの場合、その受け側ＵＳＢレセプタクルコネクタはコンピュータ本体の背面に位置しているため、正面から挿抜の操作ができず、多数のケーブルなどが交叉している背面からの操作が必要となる。このような状況で、前記ＵＳＢプラグコネクタの正逆を間違えずに、受け側のコネクタに正しく接続するには手間がかかる。
【０００７】
また、前記ＵＳＢコネクタのような、小型のコネクタの場合、挿入する方向は確認しにくく、やり直す必要も生ずることがあり、操作性に欠けるという問題がある。また、ノートブック型コンピュータの場合でも、ＵＳＢプラグコネクタを挿入する方向を目視により確認してから、挿入しなければならず、同様に、操作性に欠けるという問題がある。
【０００８】
上述の状況はコンピュータ製品のみに留まらず、コンピュータが家電製品に多く組み込まれており、各種の異なる規格のコネクタがコンピュータ制御の家電製品に用いられている。このような状況は更に加速し、種々のコネクタ類が一般の家庭で多く用いられると予測される。
【０００９】
以上説明したような場合、ＵＳＢコネクタのコネクタ類において、挿入方向をいちいち確認する必要がなければ、正逆方向の確認という操作性の問題や破損の問題を解決できる。このような、コネクタ類の操作性が改善され、使い勝手が優れ、損傷などが起きない前記プラグコネクタ装置の開発が望まれている。
【００１０】
特許文献１には、挿入方向を確認しなくてもＵＳＢプラグを挿入可能なＵＳＢソケットが記載されている。これはＵＳＢプラグ３００をＵＳＢソケット１００に挿入するものである。同文献の図３（ａ）、（ｂ）（本願図６（ａ）、（ｂ））を見ると、ケーシング１０１内の底部には台部１１１が設けられ、第１メス舌片１０２及び第２メス舌片１０４を支持している。また、第１メス舌片１０２及び第２メス舌片１０４をそれぞれＵＳＢプラグ３００の抜脱方向に付勢する第２の付勢手段としてのバネ１０６，１０７が設けられている。
【００１１】
ＵＳＢソケットプラグ３００を挿入する場合、同文献の図６（本願図７）に示すように、まず、ＵＳＢプラグ３００のケーシング３０１がＵＳＢソケット１００のケーシング１０１の内部に挿入される。するとＵＳＢプラグ３００のオス舌片３０２とＵＳＢソケット１００の第２メス舌片１０４とが接触し、第２メス舌片１０４はオス舌片３０２により挿入方向に向かって押し込まれる。第１メス舌片１０２が正常挿入側、第２メス舌片１０４が誤挿入側である。これと同時にＵＳＢソケット１００の第１メス舌片１０２は、ケーシング３０１の内部に挿入される。バネ１０７は第２メス舌片１０４をＵＳＢプラグ３００の抜脱方向に付勢しながらも、第２メス舌片１０４によってＵＳＢプラグ３００の挿入方向に向かって押され縮められる。
【００１２】
次に、図６（ｃ）（本願図７（ｃ））に示すようにＵＳＢプラグ３００がＵＳＢソケット１００に完全に挿入されると、支持アーム１１０は、ケーシング３０１の側面に設けられた支持アーム穴３１０と嵌合し、ケーシング１０１とケーシング３０１との接続を支持する。また、第２電極端子１０３は、第１電極端子３０３と電気接触される。（第４８段落〜第５０段落、図３，図６）
【先行技術文献】
【特許文献】
【００１３】
【特許文献１】特開２００８−２９５６３４
【発明の概要】
【発明が解決しようとする課題】
【００１４】
特許文献１では、誤挿入側のバネ１０７がオス舌片３０２によって縮められているため挿入状態の時に元に戻ろうとする力がＵＳＢプラグ３００に作用している。そのためＵＳＢプラグの挿入が戻され（抜ける）接続が開放されるという問題が発生する。また、挿抜回数を重ねると支持アーム１１０と支持アーム穴３１０による保持力が低下してくる。この場合も上述の伸びたバネが縮められて元に戻る力によって、ＵＳＢプラグの挿入が戻され（抜ける）接続が開放されるという問題が発生する。
【００１５】
本発明の目的は、適切な方向か否かの確認が不要で、しかも挿入状態でのコネクタとの接続が開放されにくいプラグコネクタを提供することである。
【課題を解決するための手段】
【００１６】
本発明は、付勢手段を備えた基板軸が装着された一対のプラグ基板を備え、レセプタクルコネクタへの挿入時に誤挿入側のプラグ基板は前記レセプタクルコネクタの誤挿入阻止部に挿入を阻止され、正常挿入側のプラグ基板は前記レセプタクルコネクタに挿入されることにより前記レセプタクルコネクタと接続するプラグコネクタであって、前記プラグ基板の前記レセプタクルコネクタ側と反対側にトリガーストッパーを配置し、前記トリガーストッパーには互いに角度を持ってストッパー部とトリガー部を配置し、前記レセプタクルコネクタへの挿入時に、前記誤挿入側のプラグ基板に押されることで、前記トリガー部が前記誤挿入側のプラグ基板に係合し、前記ストッパー部が前記正常挿入側のプラグ基板に係合することを特徴とするプラグコネクタである。
【発明の効果】
【００１７】
本発明によれば、適切な方向か否かの確認が不要で、しかも挿入状態でのコネクタとの接続が開放されにくいプラグコネクタを提供することができる。
【図面の簡単な説明】
【００１８】
【図１】本発明の第１の実施形態のＵＳＢプラグコネクタの外観図である。
【図２】本発明の第１の実施形態のＵＳＢプラグコネクタの分解斜視図である。
【図３】本発明の第１の実施形態のＵＳＢプラグコネクタの挿入前の断面図である。
【図４】本発明の第１の実施形態のＵＳＢプラグコネクタの挿入開始の断面図である。
【図５】本発明の第１の実施形態のＵＳＢプラグコネクタの挿入後の嵌合断面図である。
【図６】特許文献１のＵＳＢソケットを示す図であり（ａ）は正面図、（ｂ）は断面図である。
【図７】特許文献１のＵＳＢプラグをＵＳＢソケットに挿入する際の動作を示す説明図であり、（ａ）、（ｂ）、（ｃ）はいずれも断面図である。
【発明を実施するための形態】
【００１９】
（第１の実施形態）
図１〜図５を用いて本発明の第１の実施形態を説明する。
（構成の説明）
図１は本実施形態のＵＳＢプラグコネクタ１（以下プラグコネクタ１と略称することがある）の外観斜視図、図２はその分解斜視図である。図３、図４、図５はそれぞれ、ＵＳＢプラグコネクタ１をＵＳＢレセプタクルコネクタ２に挿入する前、挿入開始時、挿入後のそれぞれの場合の断面図である。
【００２０】
ＵＳＢプラグコネクタ１はプラグカバー１０，プラグカバー１０’、プラグ金属ガイド３，プラグ基板４、４’、トリガーストッパー５，スプリング止板９，プラグ基板軸７，７’、スプリング８，８’を備えている。上側のプラグ基板４と下側のプラグ基板４’は同じ形状・構造であり、上側のプラグ基板４をひっくり返すと下側のプラグ基板４’になる。同様に上側のプラグカバー１０と下側のプラグカバー１０’は同じ形状であり、上側のプラグカバー１０を上下ひっくり返すと下側のプラグカバー１０’になる。
【００２１】
本実施形態では、図２の上下の方向を上下方向とし、図２の右斜め手前から左斜め奥にかけての方向を左右方向とする。またプラグ金属ガイド３，プラグ基板４、４’、トリガーストッパー５が配列した方向がＵＳＢプラグコネクタ１の挿抜方向であり、ＵＳＢプラグコネクタ１を挿入する方向を挿入方向、抜く方向を抜脱方向とする。
【００２２】
上下のプラグ基板４、４’ではプラグコンタクト４１が相対する向きで配置される。またプラグ基板４、４’には結線用コンタクト４２，ストッパー逃げ溝４３、トリガーストッパー溝４６、スプリング戻止め溝４５、プラグ基板軸溝４４が設けてある。スプリング戻止め溝４５はプラグ基板４、４’のスプリング止板９側の先端部までは形成しておらず、途切れた先の先端部にはプラグ基板軸溝４４を形成する。実際には下側のプラグ基板４’の先端部にも上側のプラグ基板４と同じようにプラグ基板軸溝４４が設けてあるが、図２では省略してある。プラグ基板軸７，７’の先端部分はプラグ基板装着溝４４にそれぞれ装着される。プラグ基板軸７、７’にはスプリング８，８’を装着し、スプリング８，８’はスプリング止板９で片方の端が固定されており、それより後ろ方向つまり抜脱方向に移動することはない。スプリング止板９に開けた２つのＣ字形状の孔でプラグ基板軸７、７’を固定するが、プラグ基板軸７’を固定する孔の方をより低い位置に設ける。スプリング止板９はプラグカバー１０，１０’に設けたスプリング止板用スリット９１に嵌めて固定する。なおプラグ基板軸７、７’は適宜の位置（図２ではほぼ中央部）に径の太い部分を設け、スプリング８，８’がこの太い部分よりもプラグ基板側に来ないようにする。
【００２３】
また上のプラグ基板４のトリガーストッパー溝４６と下のプラグ基板４’のそれとは相対する位置に来るが、ストッパー逃げ溝４３、プラグ基板軸溝４４，スプリング戻止め溝４５は左右反対側に位置し相対していない。またプラグコンタクト４１はプラグ基板４、４’上で左右対称の位置に設けるとは限らないため、上下のプラグコンタクト４１は相対する位置に来るとは限らない。
【００２４】
プラグ基板４、４’のプラグコンタクト４１面の裏側に、ケーブル（図示せず）との結線用の結線用コンタクト４２を設ける。プラグ基板４の内部を貫通する配線（図示せず）を設けて結線用コンタクト４２の端部とプラグコンタクト４１の端部を電気的に接続する。上下のプラグ基板４、４’ の内側（スプリング止板９のある側）先端は細くして曲部を形成する。
【００２５】
プラグ基板４、４’の内側先端に近接してトリガーストッパー５を配置する。トリガーストッパー５は中心軸（トリガーストッパー軸６の軸受け）を備え、中心軸の中央に一対のトリガー解除レバー５３、５３’を配置する。トリガー解除レバー５３、５３’は互いに９０°の角度を持って中心軸に接続している。
【００２６】
またトリガー解除レバー５３、５３’を挟んで中心軸にストッパー部５１，５１’とトリガー部５２，５２’を配置する。図２の右手前のストッパー部５１とトリガー部５２、同じく図２の左斜め奥のストッパー部５１’とトリガー部５２’で一対である。ストッパー部５１とトリガー部５２は互いに９０°の角度をなして中心軸に接続している。同じくストッパー部５１’とトリガー部５２’も互いに９０°の角度をなして中心軸に接続している。図２ではストッパー部５１は上方向、ストッパー部５１’は抜脱方向に延びている。また図２ではトリガー部５２は抜脱方向、トリガー部５２’は上方向に延びている。ストッパー部５１とトリガー部５２’、トリガー部５２とストッパー部５１’が同じ方向に延びている。トリガー部５２，５２’の幅はプラグ基板軸溝４４の幅よりも大きくしている。またストッパー部５１，５１’はトリガー部５２，５２’よりも幅広にしている。
【００２７】
またストッパー部５１、５１’及びトリガー部５２，５２’の先端を鈎型に曲げて、ストッパー部５１は上側のプラグ基板４の内側先端に、ストッパー部５１’は下側のプラグ基板４’の内側先端に引っかかるようにする。またトリガー部５２は下側のスプリング戻止め溝４５に、トリガー部５２’は上側のスプリング戻止め溝４５に引っかかるようにする。
【００２８】
トリガーストッパー５の軸受けにトリガーストッパー軸６を挿入し、トリガーストッパー軸６の両端をトリガーストッパー用スリット５０１に嵌める。そのためトリガーストッパー５は挿抜方向には移動しない。またトリガーストッパー軸６はトリガーストッパー５よりも長くして、両端がトリガーストッパー５の端からはみ出すようにすると、トリガー部とストッパー部がトリガーストッパー用スリット５０１と接触しにくくなる。はみ出したトリガーストッパー軸６の両端部分をトリガーストッパー用スリット５０１に嵌める。このようにしてトリガーストッパー５の挿抜方向の位置を固定する。トリガーストッパー５の動きはトリガーストッパー用スリット５０１に沿った上下方向の移動とトリガーストッパー軸６を軸とした回転である。なおトリガーストッパー５がプラグ基板軸７，７’にぶつからないように、軸方向の長さを、上（または下）方向から見たプラグ基板軸７，７’の間に収まるように設定する。
【００２９】
またプラグカバー１０、１０’にはそれぞれ開口部１０１があり、ユーザが操作できるようトリガー解除レバー５３、５３’はその開口部１０１から外に突き出させる。トリガー解除レバー５３、５３’の延びる方向はそれぞれトリガー部５１、５１’と並行にする。
（動作の説明）
図３，４，５を用いて、本実施形態のＵＳＢプラグコネクタ１をＵＳＢレセプタクルコネクタ２に挿入する動作を説明する。図３，４，５はそれぞれＵＳＢプラグコネクタ１の挿入前、挿入開始、挿入後の断面図である。
【００３０】
図３に示すように、ＵＳＢレセプタクルコネクタ２内部の下側に設けた誤挿入阻止部であるモールド部６０上にプラグコンタクト４１と接触するレセプタクルコンタクト２２がある。そのためＵＳＢプラグコネクタ１内部の上側のプラグ基板４が正常挿入側のプラグ基板となり、下側のプラグ基板４’は誤挿入側となる。ユーザはレセプタクル金属ガイド２１にプラグ金属ガイド３を添わせて挿入する。
【００３１】
プラグコネクタ１を挿入すると、図４に示すように、誤挿入側である下側のプラグ基板４’がモールド部６０に突き当たり、プラグ金属ガイド３をガイドとしてプラグコネクタ１の内側（スプリング止板９側）へスライドして後退する。この後退に伴い下側のプラグ基板４’の先端の曲部が対向するトリガーストッパー５のトリガー部５２に係合しトリガー部５２を押す。トリガーストッパー５はトリガーストッパー用スリット５０１に保持されていて挿抜方向には動かないので、トリガーストッパー５は図４の上側に押し上げられる。トリガーストッパー５が押し上がりやすいように、本実施形態では上下のプラグ基板４、４’の内側先端の曲部の傾斜は、プラグカバー１０，１０’側の傾斜よりもトリガーストッパー５に向き合う側の傾斜をより大きくしてある。なおトリガーストッパー５が上下するとトリガーストッパー軸６が上下のプラグ基板軸７、７’と接触する。そのためトリガーストッパー５が上下する範囲は２つのプラグ基板軸７の間になる。
【００３２】
トリガーストッパー５が上側に押し上げられることにより、ストッパー部５１は上側に持ち上がり、このストッパー部５１は上側のプラグ基板４に設けてあるストッパー逃げ溝４３の底面より上側に持ち上がる。また下側のプラグ基板４’が内側へ後退するにつれて、トリガー部５２が下側のプラグ基板４’の先端に乗り上げるようになる。その結果トリガーストッパー５は上側に押し上げられるだけでなく、トリガーストッパー軸６を回転軸として図４でいえば反時計方向に回転する。
【００３３】
そのためストッパー部５１が上側のプラグ基板４の内側先端に係合する。ストッパー部５１はトリガー部５２と同じく反時計方向に力を受けるため、上側のプラグ基板４は挿入時にプラグ金属ガイド３とこすれてプラグ金属ガイド３から内側方向への力を受けても後退しない。
【００３４】
また同じくトリガーストッパー５が上側に押し上げられることにより、奥にあるストッパー部５１’（図３，４，５では不図示）は下側のプラグ基板４’先端の位置から上側に外れる。その結果ストッパー部５１’は下側のプラグ基板４’を制止できない位置（高さ）つまり下側のプラグ基板４’の内側への移動を邪魔しない位置になる。下側のプラグ基板４’が内側に移動するのに伴い、下側のプラグ基板４’に係合しない側のストッパー部５１’は、下側のプラグ基板４’のストッパー逃げ溝４３内をスライドする。ストッパー逃げ溝４３があるとストッパー部５１’が下側のプラグ基板４’に引っかからずスムーズにスライドできる。
【００３５】
ユーザがさらにＵＳＢプラグコネクタ１を押すと、図５で示すように下側のプラグ基板４’はモールド部６０により図４の位置からさらにＵＳＢプラグコネクタ１の内側に押され、スプリング８’が更に縮んで反発力が大きくなる。しかしトリガー部５２先端の鈎型の箇所がスプリング戻り止め溝４５に引っかかり、スプリング８’が反発して戻る力を止めて、レセプタクルコンタクト２２とプラグコンタクト４１が接続しプラグコネクタ１とレセプタクルコネクタ２は嵌合状態となる。
【００３６】
なおトリガーストッパー５の軸方向の長さはプラグカバー１０の幅よりも短くするため、軸方向に多少の遊びが存在する。そのため軸方向の位置にずれが生じることがある。このずれ、例えばトリガー部５２と下側のスプリング戻り止め溝４５との軸方向のずれや上側のストッパー逃げ溝４３とストッパー部５１との軸方向のずれが生じないように、トリガーストッパー溝４６を設けて補完用のガイド溝としている。本実施形態ではトリガーストッパー溝４６はプラグ基板４，４’の中央に挿抜方向に形成している。さらに本実施形態では図２に示すように、トリガーストッパー５のトリガー解除レバー５３が設けてある中央部の軸受けを他の部分よりも太くしている。太い部分があるとそこでトリガーストッパー溝４６に収まりやすいので、軸方向の位置が安定する。
【００３７】
以上説明した動作はプラグコネクタ１の上下を逆にしても、またプラグコネクタ１が斜めでも同じ動作となる。
【００３８】
プラグコネクタ１をレセプタクルコネクタ２から抜いてもプラグ基板４はトリガーストッパー５により固定されている。図５の状態では上側のトリガー解除レバー５３が開口部１０１から飛び出ている。これを倒すことにより、スプリング戻り止め溝４５に掛かったトリガー部５２が外れ、スプリング８’によりプラグコネクタの内側に収まったプラグ基板４’は図３の位置に戻り、トリガーストッパー５も待機状態となる。
【００３９】
本実施形態では、トリガーストッパー５のトリガー部５２（５２’）とスプリング戻り止め溝４５で誤挿入側の縮んだスプリング８’（８）を止めている。そのため挿入された状態の時はプラグコネクタをレセプタクルコネクタの間にはスプリング８’（８）の力が作用していない。そのためプラグコネクタ１とレセプタクルコネクタ２の接続が開放されにくい。また特許文献１で挿抜回数を重ねて押さえバネ１１０と受け溝３１０の保持力が低下した場合に、プラグコネクタをレセプタクルコネクタの接続が開放されてしまう、という問題は生じない。
【００４０】
また特許文献１では、支持アーム１１０が支持アーム穴３１０に収まっていない半挿入状態の時、ＵＳＢプラグの挿入が戻されプラグとソケットの接続が開放されてしまう。しかし本実施形態ではトリガー部５２（５２’）とスプリング戻り止め溝４５で誤挿入側の縮んだスプリング８’（８）を止めている。そのため半挿入状態でバネの伸び力によってプラグコネクタ１とレセプタクルコネクタ２の接続が開放されることがない。
【００４１】
なお本実施形態のようにスプリング戻り止め溝４５がプラグ基板４，４’の先端部までは形成されていない場合には、図４に示す半挿入状態でトリガー部５２がスプリング戻り止め溝４５に引っかかっていない瞬間がある。この場合でもトリガー部５２は下側のプラグ基板４’に乗り上げていて摩擦力が働くことと、ストッパー部５１が上側のプラグ基板４の先端に引っかかり始めることでトリガー部５２がプラグ基板４’に押しつけられる。そのためプラグコネクタ１が押し戻されることはない。なおスプリング戻り止め溝４５をプラグ基板の先端部まで形成するようにしてもよい。
【００４２】
以上説明したように本実施形態のプラグコネクタでは、適切な方向か否かの確認が不要で、しかも挿入状態でも半挿入状態でもコネクタとの接続が開放されにくい。
（他の実施形態）
第１の実施形態ではプラグ基板４、４’がスライドするので、結線用コンタクト４２に接続したケーブルもスライドする。そのため接続部分に力が加わる。力が加わる部分には屈曲性の良いＦＦＣ（フレキシブルフラットケーブル）やＦＰＣ（フレキシブルプリントサーキット）を用いＳ字接続すると接続部分の耐久性が向上する。
【００４３】
また第１の実施形態では付勢手段としてスプリングを使ったが、これに限らず、弾力性のあるゴム等でも良い。
【００４４】
また第１の実施形態ではＵＳＢプラグコネクタに適用した例を説明したが、例えばＵＳＢメモリ等でも本発明を適用できる。さらにＵＳＢに限らず正逆の方向を持つコネクタであれば本発明を適用できる。
【産業上の利用可能性】
【００４５】
本発明は、コネクタ付き装置及びケーブルに関し、特に、機能拡張等のためにＰＣ、サーバ、デジタルテレビ、ビデオレコーダ等の電気機器と接続する周辺機器、記録メディア、ケーブル側のプラグコネクタ構造に用いることができる。
【符号の説明】
【００４６】
１    ＵＳＢプラグコネクタ
２    ＵＳＢレセプタクルコネクタ
３    プラグ金属ガイド
４、４’    プラグ基板
５    トリガーストッパー
６    トリガーストッパー軸
７、７’    プラグ基板軸
８、８’    スプリング
９    スプリング止板
１０、１０’    プラグカバー
２１    レセプタクル金属ガイド
２２    レセプタクルコンタクト
４１    プラグコンタクト
４２    結線用コンタクト
４３    ストッパー逃げ溝
４４    プラグ基板軸溝
４５    スプリング戻り止め溝
４６    トリガーストッパー溝
５１、５１’    ストッパー部
５２、５２’    トリガー部
５３、５３’    トリガー解除レバー
６０    モールド部
９１    スプリング止板用スリット
１０１    開口部
５０１    トリガーストッパー用スリット
【図１】
2015220009.tif 000003
【図２】
2015220009.tif 000004
【図３】
2015220009.tif 000005
【図４】
2015220009.tif 000006
【図５】
2015220009.tif 000007
【図６】
2015220009.tif 000008
【図７】
2015220009.tif 000009